(57)【要約】【課題】定着排紙温度検知可能な定着装置において誤検知防止により長寿命化を図る。【解決手段】  （１）定着排紙温度検知可能な画像形成装置において、本体のプリント枚数検知手段を有し、前記検知結果に応じて、普通紙、ラフ紙等記録材判別の閾値温度を変更し、かつスループット、定着温度等定着制御条件を変更する。（２）上記構成において、定着装置にメモリを配し前記メモリに書き込まれた定着構成部分の情報等を読み取り、前記読み取り結果に応じて、プリント枚数毎の定着制御条件を変更する。【選択図】        図１
2006010753.tif 000002
【特許請求の範囲】
【請求項１】
加熱体を内包した回転体と、前記回転体を圧接する加圧部材を有し前記回転体と加圧部材とを互いに圧接して定着ニップ部を形成し、記録材を前記定着ニップ部内に狭持搬送されることで、前記記録材上の未定着トナー像を永久画像として定着させる加熱定着装置で、前述の記録材が定着ニップ部から排出される際に記録材の温度を検知する手段を配し、前記検知結果に応じて定着条件が変更可能な加熱定着装置において、記録材の通紙枚数に応じて、定着条件を変更することを特徴とする加熱定着装置。
【請求項２】
前記加熱定着装置の変更可能な定着条件が、少なくとも記録材のスループット及び或いは定着温度であることを特徴とする請求項１に記載の加熱定着装置。
【請求項３】
通紙枚数を検知する手段及び前記検知枚数を随時読み書き可能なメモリを有する画像形成装置において、請求項２に記載の加熱定着装置を有することを特徴とする画像形成装置。
【請求項４】
加熱定着装置が少なくとも読み出し可能なメモリを有し、前記メモリに前記加熱定着装置の情報が、書き込まれており、前記情報に基づいて、記録材の通紙枚数に応じて、定着条件を変更することを特徴とする請求項１に記載の加熱定着装置。
【請求項５】
通紙枚数を検知する手段及び前記検知枚数を随時読み書き可能なメモリを有する画像形成装置において、請求項４に記載の加熱定着装置を有することを特徴とする画像形成装置。
【発明の詳細な説明】
【技術分野】
【０００１】
本発明は、電子写真技術を応用したプリンタ及び複写機等に用いられる加熱定着装置及び前記可熱定着装置を用いた画像形成装置に関するものである。
【背景技術】
【０００２】
従来、電子写真方式を応用したプリンタ、複写機、ファクシミリなどの画像形成装置では、トナーを現像剤として用い、静電的な画像形成手段によって、記録材上にトナー像を形成した後、定着手段によって記録剤を加熱加圧定着して、トナー像を溶融固着させ画像形成することが一般的である。前述の定着工程における未定着画像を定着する方法としては熱効率、安全性が良好な接触加熱型の熱ローラ方式の定着装置が広く知られている。最近では、このような方式に変わってフィルム加熱方式の加熱装置が提案され、実用化されている（例えば、特許文献１・特許文献２、特許文献３・特許文献４〜特許文献１２、特許文献１３〜特許文献１７等）。
【０００３】
この加熱装置は、支持部材に固定支持させた加熱体に被加熱材としての記録材を、耐熱性・薄肉のフィルム材（以下定着フィルムと称する）を介して密着させ、定着フィルム材を加熱体に摺動移動させて加熱体の熱が定着フィルムを介して記録材へ与える方式・構成ものであり、未定着トナー画像を記録材表面に永久固着像として熱定着処理する装置である。
【０００４】
前述のフィルム加熱方式の加熱装置（以下オンデマンド定着装置と称する）は、加熱体として、昇温の速い低熱容量のもの、例えば、絶縁性・良熱伝導性のセラミック基材と、この基材の表面に設けられた通電により発熱する抵抗発熱層を基本構成体とするいわゆるセラミックヒータを用いることができ、また定着フィルムとして薄膜で低熱容量のものを用いることができるために短時間に加熱体の温度が上昇し、スタンバイ時に加熱体に電力供給をする必要がなく、被加熱材としての記録材をすぐに通紙しても記録材が定着ニップ部に到達するまでに加熱体を所定温度まで十分に昇温させることができる。よって、ウェイトタイムの短縮化（クイックスタート性：オンデマンドで作動）や省電力化が可能となる、画像形成装置本体の装置内の昇温を抑えることができる等の利点を有し、効果的手法である。
【０００５】
前述のオンデマンド定着方式は、近年の省エネルギー推進の観点から、熱ローラ方式に比べて熱伝達効率が高く、ファーストプリントタイムも速い方式として注目され、より高速の機種にも適用されるようになってきている。ここで、装置の高速化に伴い記録材の定着性を維持するために、定着ニップを通過する記録材に定着に必要な熱量を供給するために定着温度のアップや、加圧力をアップすることで対応している。
【０００６】
また、記録材の定着性は、記録材の表面性に（表面の凹凸）因ることが一般的である。例えば凹凸が少ない平滑度の高い記録材（以下平滑紙と称する）では、定着ニップでの定着フィルムとの接触性に優れ熱伝播が良好で、トナーを溶融させるために必要な定着エネルギーが記録材側に十分伝わるため良好な定着性が得られる。逆に紙表面が粗く、平滑度の低い紙例えばボンド紙やレイド紙（以下ラフ紙と称する）を用いると記録材表面の定着フィルムとの接触性が悪く、定着ニップで記録材への熱の伝播が不均一であり、トナーを溶融させる為に必要な熱量が記録材側に十分伝わらず、熱量が不足し定着性が不足してしまう。特に本現象はラフ紙への熱量供給が不足する、記録材後半で顕著である。
【０００７】
しかしながら、ラフ紙の定着性を維持するため、先に説明したように定着温度や加圧力をアップした場合、平滑紙は、記録材及びトナー像には過剰な熱量が付与されることで、ホットオフセットや記録材のカールが悪化する弊害が発生してしまう。そのため、ラフ紙と平滑紙を同一の定着モードで使用することは難しく、ラフ紙等の特殊紙用の定着モードを設け、ユーザが任意に選択することで、対応することが一般的である。
【０００８】
しかしながら、ラフ紙の紙種も多種多様であり、ひとつの定着モードでは、十分な定着性を確保することが出来ない場合があり、複数の定着モードからユーザが選択する等負荷が増大する場合があった。更に、ユーザニーズも多様化し、画像形成装置に使用される記録材の種類も普通紙から特殊な表面処理が施された、特殊紙、厚紙、ＯＨＴ等多種多様となっている。そこで、記録材の種類に応じて、最適な定着モードに切り替わることが望ましく、一つの手法として、加熱定着装置の定着ニップを通過した記録材の温度（以下排紙温度と称する）を検知し定着制御にフィードバックする。即ち記録材に与える熱量を一定に保つように定着温度を補正することで、記録材の種類を問わず安定した定着性が得られる手法が例えば、特許文献１８、特許文献１９等に提案されている。
【０００９】
図８は接触型センサを用いて温度検出を行う従来の加熱定着装置の一例である。この加熱定着装置では、定着ニップ下流側にサーミスタなどの温度センサ４０を設置し、それと対向する位置にゴムローラなどの対向部材４１を設置し、記録材を挟み込んで温度を測定している。
【００１０】
図９，１０は非接触式センサを用いて温度検出を行う従来の加熱定着装置の一例である。この加熱定着装置では、定着ニップ下流側に赤外線センサなどの非接触式センサ４２、４３が設置されており、記録材の温度を非接触で測定している。
【００１１】
［参考］
例えば、１５℃、１０％［ＲＨ］の低温、低湿環境で、図１０の排紙温度センサを配した、オンデマンド定着装置を有する画像形成装置（５０ｐｐｍ．／プロセススピード：９０π＝２８２．７［ｍｍ／ｓｅｃ］）において、表９に示す９種の記録材を用い、一定定着温調で排紙温度を測定したところ、定着性が厳しい、光沢紙、ラフ紙Ｂ、ラフ紙Ｃ（厚紙）厚紙、４種の記録材では、表９に示すように排紙温度が、その他の記録材に比べ低く測定された。
【００１２】
【表９】
2006010753.tif 000003
【００１３】
前述の測定は、新品の画像形成装置で、電源投入時、装置が冷えている（Ｃｏｌｄスタート／定着温調２２０℃）と連続プリント後、装置が温まっている（Ｈｏｔスタート／定着温度２１０℃）の２つの状態で、記録材１ページの後半で、１０ポイントの測定を行いその平均値を１枚の紙の測定値とし、記録材１０枚の平均値（トータル１００ポイント×２の平均）を測定値とした。この結果、排紙温度７０℃を閾値にして光沢紙、ラフ紙Ｂ、ラフ紙Ｃ（厚紙）厚紙４種とそれ以外の記録材で判別が可能となり、上記４種と判定した場合、連続プリントが２０枚以上続く場合、紙間を延長することで、スループットを下げ、５５ｐｐｍ．→４０ｐｐｍ．とすることで、光沢紙、ラフ紙Ｂ、ラフ紙Ｃ（厚紙）厚紙４種の記録材に十分な熱量が与えられ、定着性を確保することが可能となった。
【特許文献１】特開昭６３−３１３１８２号公報
【特許文献２】特開平１−２６３６７９号公報
【特許文献３】特開平２−１５７８７８号公報
【特許文献４】特開平４−４４０７５号公報
【特許文献５】特開平４−４４０７６号公報
【特許文献６】特開平４−４４０７７号公報
【特許文献７】特開平４−４４０７８号公報
【特許文献８】特開平４−４４０７９号公報
【特許文献９】特開平４−４４０８０号公報
【特許文献１０】特開平４−４４０８１号公報
【特許文献１１】特開平４−４４０８２号公報
【特許文献１２】特開平４−４４０８３号公報
【特許文献１３】特開平４−２０４９８０号公報
【特許文献１４】特開平４−２０４９８１号公報
【特許文献１５】特開平４−２０４９８２号公報
【特許文献１６】特開平４−２０４９８３号公報
【特許文献１７】特開平４−２０４９８４号公報
【特許文献１８】特開平１−１５０１８５号公報
【特許文献１９】特開平７−２３０２３１号公報（図８）
【発明の開示】
【発明が解決しようとする課題】
【００１４】
上記参考を踏まえ、排紙温度検知から、記録材の判別が可能な、画像形成装置を使用した場合、以下のような問題があった。
【００１５】
ユーザニーズの多様化から、装置の高速化及びネットワークでの共有化等の理由から、プリントボリュームが増加する傾向であり、画像形成装置の印字保証枚数も増加するが、印字枚数後半において、紙種センサの誤検知により、記録材検知が正常に働かない場合があり、記録材に応じた定着制御が実行できない場合があった。
【００１６】
上記現象を以下に詳しく説明する。例えば、低温、低湿環境でラフ紙と判定の場合、印字枚数に応じて、印字スピード（スループット）を可変してやり、連続プリント時の電力不足による定着不良を防止し、良好な定着画像を提供している。また、通常環境で、普通紙と判定された場合は、スループットの変更はなく、定着温度を下げることで、定着ユニットの熱劣化（加圧ローラ硬度ダウン、潤滑グリカッスの枯渇等）の促進を防止している。しかしながら、印字枚数が増加した場合、定着ユニットの熱劣化が少なからず進むため、初期に決定した定着制御条件とは異なり、ラフ紙検知用の閾値温度が異なる為、記録材誤検知、定着不良等の異常が発生することになる。
【００１７】
本発明は、上記課題を解決するものであり、排紙温度検知手段を配する定着装置を有する画像形成装置において、定着装置の寿命によらず、安定した定着制御を実現することを目的とする。併せて、定着ユニットの構成部品ばらつきによらず安定した排紙温度検知による定着制御を達成することにある。
【課題を解決するための手段】
【００１８】
上記課題を解決するために、本発明における第１の発明によれば、加熱体を内包した回転体と、前記回転体を圧接する加圧部材を有し、前述の回転体及び加圧部材の圧接ニップ部に未定着トナー像が形成された記録材を加熱、加圧通過させることで、前記未定着トナー像を記録材上に定着させる加熱定着装置で、併せて前記加熱定着装置からの記録材排紙温度を検知する手段を配し前記排紙温度の検知結果から、定着制御が変更可能な加熱定着装置において、前記画像形成装置が記録材の通紙枚数を検知可能であり、前記通紙枚数に応じて、排紙温度検知結果から決定する定着制御の条件を変更することを特徴とする加熱定着装置及びそれを配する画像形成装置である。
【００１９】
また、前述の定着制御の条件は、定着温度、定着排出速度（スループット）である。加えて、記録材の通紙枚数は、前記通紙枚数を画像形成装置に配する読み書き可能なＮＶＲＡＭ等のメモリで実行される。
【００２０】
本発明における第２の発明によれば、前述の第１の発明における加熱定着装置において、前記加熱定着装置が、少なくとも読み込み可能なメモリを配し加熱定着工程において、前記メモリの情報に応じて排紙温度検知結果から決定する定着制御の条件を変更することを特徴とする加熱定着装置及びそれを配する画像形成装置である。
【００２１】
また、前記メモリの情報は前述の加熱定着装置の構成部材である、加圧ローラ硬度、定着フィルム厚み、加熱ヒータ表面コート厚み等が挙げられる。
【００２２】
なお、さらに詳細に説明すれば、本発明は下記の構成によって前記課題を解決できた。
【００２３】
（１）加熱体を内包した回転体と、前記回転体を圧接する加圧部材を有し前記回転体と加圧部材とを互いに圧接して定着ニップ部を形成し、記録材を前記定着ニップ部内に狭持搬送されることで、前記記録材上の未定着トナー像を永久画像として定着させる加熱定着装置で、前述の記録材が定着ニップ部から排出される際に記録材の温度を検知する手段を配し、前記検知結果に応じて定着条件が変更可能な加熱定着装置において、記録材の通紙枚数に応じて、定着条件を変更することを特徴とする加熱定着装置。
【００２４】
（２）前記加熱定着装置の変更可能な定着条件が、少なくとも記録材のスループット及び或いは定着温度であることを特徴とする前記（１）に記載の加熱定着装置。
【００２５】
（３）通紙枚数を検知する手段及び前記検知枚数を随時読み書き可能なメモリを有する画像形成装置において、前記（２）に記載の加熱定着装置を有することを特徴とする画像形成装置。
【００２６】
（４）加熱定着装置が少なくとも読み出し可能なメモリを有し、前記メモリに前記加熱定着装置の情報が、書き込まれており、前記情報に基づいて、記録材の通紙枚数に応じて、定着条件を変更することを特徴とする前記（１）に記載の加熱定着装置。
【００２７】
（５）通紙枚数を検知する手段及び前記検知枚数を随時読み書き可能なメモリを有する画像形成装置において、前記（４）に記載の加熱定着装置を有することを特徴とする画像形成装置。
【発明の効果】
【００２８】
本発明によれば、排紙温度検知から定着制御を行う画像形成装置において通紙枚数に応じて紙種を判定する閾値温度を変更することで、通紙枚数によらず誤検知を防止でき、安定した定着画像を提供できる。
【発明を実施するための最良の形態】
【００２９】
以下本発明を実施するための最良の形態を、実施例により詳しく説明する。
【実施例１】
【００３０】
本発明に係わる加熱定着装置を配する画像形成装置の構成図を図１に示す。
【００３１】
図１において、１は画像形成装置であり、２はカートリッジで、画像形成行程の帯電、現像、クリーニングが行われており、絶縁性一成分トナーＴが消耗されると新しいカートリッジに交換される。３は感光ドラムであり、ＯＰＣ、アモルファスＳｅ、アモルファスＳｉ等の感光材料がアルミニウムやニッケルなどのシリンダ状の基板上に形成されている。感光ドラム１は矢印の方向に回転駆動され、まず、その表面は帯電装置としての帯電ローラ４によって一様帯電される。
【００３２】
次に、画像情報に応じてスキャナー９の回転及びＯＮ／ＯＦＦ制御されたレーザビームＬによる走査露光が施され、静電潛像が形成される。この静電潛像は、現像装置６で現像、可視化される。現像方法としては、ジャンピング現像法、２成分現像法、ＦＥＥＤ現像法などが用いられ、イメージ露光と反転現像とを組み合わせて用いられることが多い。可視化されたトナー像は、転写装置としての転写ローラ８により、所定のタイミングでレジストローラ１０より搬送された記録材Ｐ上に感光ドラム１上より静電転写される。このとき記録材Ｐは感光ドラム３と転写ローラ８で一定の加圧力で狭持搬送される。このトナー像が転写された記録材Ｐは定着装置１１へと搬送され、永久画像として加熱定着される。一方、感光ドラム１上に残存する転写残りの残留トナーは、クリーニング装置１２により感光ドラム１表面より除去される。以上の動作を繰り返すことで、連続した画像形成工程に寄与される。
【００３３】
次に定着装置１１の構成について説明する。図２は、本発明に係わる加圧ローラ駆動のオンデマンド定着装置１１の構成図であり、記録材Ｐを矢印Ｋ方向に搬送している。定着装置１１において、可擣性のエンドレスベル１６を定着フィルムとする、加圧ローラ駆動の定着装置であり、トナーＴを加熱する加熱体としてのセラミックヒータ（以下ヒータと称する）１７とこのヒータ１７を内包する回転体としての定着フィルム１６に当接された加圧部材としての加圧ローラ１８とヒータ温度を制御する温度制御手段３４を主要部材として構成されている。ヒータ１７と加圧ローラ１８は、定着フィルム１６を挟んで圧接して定着ニップＮを形成している。定着工程において、加圧ローラ１８の回転駆動に伴って定着フィルム１６が従動回転駆動され、続いてヒータ１７に電力が供給され、前記ヒータ１７が昇温され、所定の温度に立ち上がるまで温調された状態において、定着ニップＮに未定着トナーＴが担持された記録材Ｐが挟持搬送される。続いて、ヒータ１７の熱が定着フィルム１６を介して記録材Ｐに付与され、未定着トナーＴが加熱・加圧されることで溶融定着される。定着ニップＮを通過した記録材Ｐは、曲率分離後、排紙センサ１９を通過して機外に排出される。以下に定着装置１１の構成要素について説明する。
【００３４】
［定着フィルム１６］
定着フィルム１６は、ポリイミド等の耐熱樹脂やＳＵＳ等の金属を円筒状に成型されたものであり、ヒータ１７、ヒータホルダ２０、金属ホルダ２１に嵌合している。定着フィルム１６は、加圧ローラ１８と当接しており、これにより定着フィルムの１６の裏面がヒータ１７の下面と当接する構成になっている。定着フィルム１７の動作は、加圧ローラ１８が矢印Ｒ方向の回転により、記録材Ｐが矢印Ｋ方向に搬送されるのに伴って、矢印Ｒの方向に従動回転する。この際、定着フィルム１６の両端部は、不図示のヒータホルダガイド部材で規制されており、ヒータホルダ２０からはずれない構成になっている。ヒータホルダ２０及びガイド部材は、耐熱樹脂によって構成され、ヒータホルダ２０は、長手方向半円上の形状をなし、定着フィルムと接触している。さらに、ヒータ１７裏面及び、定着ホルダ２０と接触する定着フィルム１６の内面には、摺動抵抗低減のため、グリスが塗布されている。
【００３５】
［ヒータ１７］
ヒータ１７の長手構成図を図３に、断面図を図４に断面図を示す。図３において、ヒータ１７は、セラミックヒータを使用しており、アルミナ等の耐熱性基板２２の上に、スクリーン印刷等の手法で抵抗体パターン２３、２４を形成し、その表面を図４に示すガラス層２５で被覆されており、記録材ＰのニップＮ通過幅よりも長く形成されている。２６〜２８は電極であり、上記電極に通電され、抵抗体２３、２４が発熱するが、温度検知サーミスタ２９により、温度制御手段３４が所望の定着温度となるよう温度制御が行われている。またヒータ１７はヒータホルダ２０により支持されるが、記録材Ｐとの接触面には、記録材との摺動性及び回転トルク低減のため、図４に示すように、ポリイミド樹脂等の被膜層３０をスクリーン印刷等で形成している。
【００３６】
［加圧ローラ１８］
加圧ローラ１８は、金属製の芯金３１の外周面に、シリコーンゴム等の弾性層３２を設け弾性層３２の表層には、ＰＦＡ、ＰＴＦＥ等、耐熱性で離形性を有する薄層３３がチューブ、コートなどの手法で構成されている。
【００３７】
［温度制御手段３４］
温度制御手段３４は、ヒータ１７のガラス層２５側に取り付けられた温度検知サーミスタ２９の検出温度及び、次に記載する排紙温度検知サーミスタ３５が算出した温度に基づいてトライアック３６を制御し、ヒータ１７に対する電力供給をＣＰＵ３７で制御する。
【００３８】
［排紙温度検知サーミスタ３５］
排紙温度検知サーミスタ３５は、記録材Ｐが定着装置１１から排出される下流に配置され、形態について得に制限はないが、本実施例では、記録材Ｐの裏面側（非印字面）の温度を検出する非接触方式のサーミスタを採用している。記録材Ｐが排紙センサ１８と接触した後、排紙温度検知サーミスタ３５で排紙温度の検知を行う。また、記録材表面の印字面の排紙温度検知を行う場合は、記録材上のトナーが定着ニップを通過直後でまだ、十分固化していない可能性があり、サーミスタ自身の熱容量を無視できるため、非接触方式が望ましい。更に本実施例の排紙センサに集熱板を設け排紙温度検知サーミスタと一体成形で２つの機能を持たせても問題はない。
【００３９】
以下に実施例１における定着温度制御の構成を説明する。
【００４０】
［１．通紙枚数カウント］
まず、画像形成装置には、読み書き可能なＮＶＲＡＭ等のメモリから成る、総合枚数カウンタ３８があり、図示しないＣＰＵによりプリント指令を受けた後の枚数を毎回カウントし、画像形成工程終了時に総合印字枚数カウンタ３８に印字枚数を書き込む指令を受ける。
【００４１】
［２．画像形成プロセス＆定着制御］
続いて、画像形成プロセスは、先に説明したように、記録材Ｐの給紙後に帯電、露光、現像、転写、クリーニング各工程が順じ実施され、記録材Ｐが定着工程に入り、温度検知サーミスタ２９により、所望の定着温度Ｔ１で定着工程が開始する。この時、従来例で説明したように排紙温度検知サーミスタ３７により記録材Ｐ後端で排紙温度の検出（例えば１ページ１０ポイント）を行っており、連続プリントの場合、連続給紙に続いて、随時画像形成プロセス及び排紙温度検知を実行している。加えて、連続プリント中の、所望の枚数α［枚］毎の排紙温度データの平均値Ｔαをストアしておく。プリント枚数が進むにつれて、前記αａｖｅは、更新されていく。ここで、プリント指令枚数Ｎが、所望の枚数Ｎｘ［枚］より、多い場合、Ｎｘ−β［枚］の時点のαａｖｅの値から、記録材Ｐの判定を行う。記録材判定の閾値温度ＴをＴα［℃］とすると、Ｔα＜Ｔｘならラフ紙と判断し、Ｎｘ［枚］のプリント開始時に、紙間延長及び或いは、定着温度変更Ｔ２［℃］（Ｔ２＞Ｔ１）等に定着制御条件を変更し以後の定着工程を実行する。プリント終了時にプリントでは、プリント開始時に総合プリント枚数Ｎｔを検知して、その値に応じて、ラフ紙判定の閾値温度Ｔαを表１に示すように変更している。
【００４２】
【表１】
2006010753.tif 000004
【００４３】
これにより、プリント枚数が進み記録材の、排紙温度が上昇した場合にも、それに応じて記録材判定の閾値温度を変更（上昇）することで、各記録材に応じた判定が可能となり、安定した定着制御が可能となる。
【００４４】
ここで、プリント枚数に応じて記録材判定の閾値温度が変更する理由について考察する。例えば、定着装置の構成において、プリント枚数が進むほど、定着性が良化する傾向がある。これは、数千、数万枚程度では、明確ではないが、十万枚以上プリントすると明確な現象である。なぜなら、プリント枚数が進むにつれて、加圧ローラの弾性ゴムが加熱及び加圧履歴を受け続けることで、ゴム劣化が進み、ゴム硬度が柔らかくなる傾向がある。例えば本実施例の定着装置の加圧ローラは、定着器寿命３０万枚に対して、加圧ローラ硬度は表２、図５に示すようになり、３０万枚で加圧ローラ硬度が２．５°、定着ニップが１ｍｍ枚以降では、初期に比べ１．７ｍｍの定着ニップ増加が見られた。このため、初期と同じ定着制御を実行すると、定着ニップから記録材、加圧ローラに与えられる熱は、密着性の増加から上昇することになる。
【００４５】
【表２】
2006010753.tif 000005
【００４６】
また排紙温度が上昇するため、ラフ紙として判別する記録材の定着性もアップするように考えられるが、表面性の粗いラフ紙では、温度が上昇して、記録材繊維部分にトナーが溶融しても加圧力が不十分なため、記録材凹部に繊維に溶け込んだトナーには伝わらず、定着性は、不十分となる。そのため装置が高速化した際など、特に記録材検知精度を上げる必要がある。そこで従来例で、示す記録材９種を用い、プリント枚数ごとの排紙温度を測定したところ表３、図６のような排紙温度を示し、記録材間の排紙温度の差（Δ）は初期の測定値とほぼ同じであるが、各記録材の排紙温度が上昇し、図６に示すように１４００００枚と、２８０００００枚の特殊紙判定の閾値温度Ｔは、初期の７０［℃］に対し、それぞれ７５［℃］、８０［℃］と閾値温度をアップさせた方が特殊紙として４種の記録材光沢紙、ラフ紙Ｂ、ラフ紙Ｃ（厚紙）厚紙がその他、普通紙等の記録材と判別できるマージンが広がり誤検知なく定着制御が安定することが判った。
【００４７】
【表３】
2006010753.tif 000006
【００４８】
［実験１］
以下に実施例１に示す画像形成装置、定着装置を用いて、プリント枚数に応じて、ラフ紙検知の記録材排紙温度の閾値温度を変更して検知精度の実験を行った。
５０ppm./プロセススピード：９０π＝２８２．７［mm/sec］本体寿命６００万枚
解像度：６００ｄｐｉ
カートリッジ  Ａ：トナー充填量５００ｇ／印字比率４％印字で１００００枚印字可能
転写ローラ：ＮＢＲゴム使用の中抵抗ローラ  駆動時１ｋｖ印加で  ５×１０８［Ω］
定着器：加圧ローラ駆動のオンデマンド定着器（寿命３２万枚）
定着フィルム：厚み５０μｍのＳＵＳを基層とし、表層に厚み１０μｍのＰＦＡ層を設け
る構成で、フィルム内径３０φ
定着ヒータ：従来例と同様なＡｌ２Ｏ３基板上にＡｇ・Ｐｂペーストを圧膜印刷し、焼成
して発熱体を作成し、その上にガラスコーティング層５０μｍ設ける。
裏面基板上にポリイミドコート６μｍ設ける。ポリイミドコート層を定着
フィルム内面との摺動層とする。
摺動性グリス  ＨＰ３００  ６００ｍｍｇ塗布
サーミスタ：ヒータ基盤ガラスコーティング上に接触型サーミスタを加圧固定。
加圧ローラ：φ１２アルミ芯金上に液状シリコーンゴムを熱硬化させたゴム層４ｍｍ、
表層に離型層として、５０μｍＰＦＡチューブをプライマー接着〜外径約
φ３０
トナー：体積平均粒径６．３μｍの絶縁一成分磁性トナー
実施例１における総合プリント枚数と閾値温度Ｔの関係を表４の設定とした。
【００４９】
【表４】
2006010753.tif 000007
【００５０】
記録材：
普通紙Ｂ／オフィスプランナー  ６４ｇ  Ａ４      （三菱パルプ）
ラフ紙Ｂ／Ｆｏｘ  Ｒｉｖｅｒ  Ｂｏｎｄ  ＃２４  Ｌｔｒ
（Ｆｏｘ  Ｒｉｖｅｒ  Ｐａｐｅｒ  Ｃｏ．）
ラフ紙Ｃ／Ｎｅｅｎａｈ  Ｃｌａｓｓｉｃ  Ｌａｉｄ  Ｔｅｘｔ  Ｌｔｒ  ＃３６
（Ｎｅｅｎａｈ  Ｃｌａｓｓｉｃ  Ｌａｉｄ  Ｃｏ．）
【００５１】
表４の設定で、従来例同様、Ｃｏｌｄスタート時は２２０℃、Ｈｏｔスタートは、２１０℃定着温調で表５に示すポイントで５０枚のサンプリングを従来例と実施例で比較を行った。ラフ紙で排紙温度検知が作動し、スループットダウンが入った場合は、○、誤検知して通常プリントの場合は×とした。普通紙は、通常プリントの場合のままなら○とした。従来例では、プリント後半で、ラフ紙の誤検知が多く見られるが、実施例１の構成においては、ラフ紙Ｂ、Ｃ共に定着器寿命の３２万枚まで、記録材検知が正常に作動することで、スループットダウンが入り良好な定着性が得られた。
【００５２】
【表５】
2006010753.tif 000008
【実施例２】
【００５３】
実施例１で、プリント枚数に応じて、記録材の定着排紙温度により温度ラフ紙等の特殊紙を普通紙と判別する閾値温度を切り替えることで、検知精度がアップし良好な定着制御が実現できた。しかしながら、プリント枚数の増加で、変化する定着器構成要素は、加圧ローラ硬度だけに限らず、定着フィルム表層厚み及び定着ヒータ表面のポリイミドコート層等が摺擦により削れることで、熱容量が小さくなり、同じ定着温度で制御した場合、過剰に温まり、定着ニップで記録材及び加圧ローラに与える熱量も増加する。このため、初期に比べ記録材の排紙温度も上昇することになる。定着装置の寿命が短い場合は、問題ないが、２０万、３０万程度の保証を考慮した場合、前記定着フィルム及び、ヒータ摺動面のポリイミドコート層の厚み変化も排紙温度検知に寄与する重要な要因である。更に、前述の部品は、各部品が寸法等の規格を持ち、製品化されているが、各部品の寸法公差を組み合わせた場合、プリント枚数の増加に伴う各構成部品のバラツキ（組合せ）も様々な場合が考えられる。実施例１で述べたように、１つの限られた場合だけで、プリント枚数により、排紙温度検知の閾値温度を切り替えるだけでは、定着装置の製品バラツキを考慮した場合、記録材のラフ紙検知精度が不十分の場合があった。また、ラフ紙の検知だけでなく、薄紙等の記録材をプリントすると、定着フィルム及びポリイミドコート層が薄くなった場合、記録材が過剰に温まることで、カールや、貼り付きが発生することがあった。貼り付きとは、数百枚連続プリントした場合、記録材温度が高いと、定着ニップを抜けた、記録材上の定着トナーが十分に冷えず、画像パターン上の表層のトナーが軟化状態となり、多数枚プリントした記録材の重みと相まって、プリント終了後、排紙トレイから記録材を取り出し、分離すると、記録材上のトナー像が剥がれ画像欠落が発生する現象である。数十枚のプリントでは、発生しないが、装置の高速化により、連続プリント枚数が増加した場合、顕著となる。以上の状況を踏まえ、以下に実施例２を示す。
【００５４】
図７は、実施例２における定着装置の構成図であり、実施例１で説明した定着装置にメモリ３９が装着してある。メモリ３９には、定着装置の構成部品の仕様が、例えば加圧ローラ硬度、定着フィルム厚み、定着ヒータ表面のポリイミドコート層の厚み、排紙温度検知サーミスタの厚み等、定着装置構成部品設計値が書き込まれている。メモリ３９から各数値を読み取ることで、各部品の組み合わせに応じ最適化したラフ紙検知用の閾値温度、閾値温度変更時の総合プリント枚数及び、定着温度、スループット等の条件を画像形成工程特に定着工程に採用している。これにより、定着装置の部品バラツキによらず、安定した記録材検知が可能になると共に、長寿命において高品位な定着画像を長寿命において提供できる。また定着装置に装着するメモリ３９の種類は、特に規定はないが、定着ヒータの熱による昇温による劣化や、通電時のノイズなどで誤作動を防止する必要がある。
【００５５】
［実験２］
実施例１で使用した画像形成装置において、定着構成のみ実施例２のメモリ３９を有しメモリの内容が表６に示す定着構成のユニット３台を用いて実験を行った。ここで、加圧ローラの構成部品である加圧ローラ硬度、定着フィルム表層厚み、ポリイミドコート（以下ＰＩコートと称する）厚みの規格は、それぞれ、加圧ローラ：５６±２［°］、定着フィルム表層：１２．５±２．５［ｕｍ］、ＰＩコート厚：６±３［ｕｍ］であり、定着ユニットは、排紙温度が１番高くなるユニット１（厚み下限組合せ）、規格中心品ユニット２と排紙温度が１番低いユニット３（厚み下限組合せ）を選んで実験を行った。
【００５６】
実験２−１）
実験１と同様な実験で、表７に示すように各ユニット毎に、閾値温度Ｔ［℃］の値及び切り替え総合プリント枚数Ｎｔ［枚］に設定するよう、メモリ３９の書き込み情報から画像形成装置のＣＰＵ３７が制御を行ったところ、実験１と同様、ラフ紙検知の各ユニットで誤検知の発生はなく、良好な定着画像が得られた。
【００５７】
【表６】
2006010753.tif 000009
【００５８】
【表７】
2006010753.tif 000010
【００５９】
実験２−２）
更に、連続プリント時Ｈｏｔ普通紙の最終温調を表８に示すようにしたところ、最終温調変更前後のＨｏｔ時５００枚プリントにおいて、何れのユニットも貼り付きの発生は無く良好な定着画像をプリントできた。
【００６０】
【表８】
2006010753.tif 000011
【００６１】
以上説明したように、記録材検知手段を有し、定着器構成要素の設定値をメモリに書き込んだ、定着装置を用い、前記メモリ情報に基づいた、プリント枚数に応じた記録材検知の閾値温度Ｔ及び、スル−プット、定着温度等の定着制御条件を変更することで、高品質な定着装置の長寿命化が可能になる。
【図面の簡単な説明】
【００６２】
【図１】実施例１の画像形成装置の構成図
【図２】実施例１の定着装置の構成図
【図３】実施例１定着ヒータの長手構成図
【図４】実施例１の定着ヒータの断面図
【図５】実施例１のプリント枚数ｖｓ．加圧ローラ硬度＆定着ニップ変化
【図６】実施例１のプリント枚数ｖｓ．記録材排紙温度
【図７】実施例２の定着装置の構成図
【図８】従来例の排紙温度検知手段
【図９】従来例の排紙温度検知手段
【図１０】従来例の排紙温度検知手段
【符号の説明】
【００６３】
１  画像形成装置
２  カートリッジ
３  感光ドラム
４  帯電ローラ
５  現像スリーブ
６  現像装置
７  現像ブレード
８  転写ローラ
９  スキャナー
１０  レジストローラ
１１  定着装置
１２  クリーニング装置
１３  クリーナ容器
１４  カセット
１５  給紙ローラ
１６  定着フィルム
１７  ヒータ
１８  加圧ローラ
１９  排紙センサ
２０  ヒータホルダ
２１  金属ホルダ
２２  耐熱性基板
２３、２４  抵抗パターン
２５  ガラス層
２６〜２８  電極
２９  温度検知サーミスタ
３０  ポリイミド被膜層
３１  芯金
３２  弾性層
３３  薄層
３４  温度制御手段
３５  排紙温度検知サーミスタ
３６  トライアック
３７  ＣＰＵ
３８  総合枚数カウンタ
３９  メモリ
４０  温度センサ
４１  ゴムローラ
４２、４３  非接触温度センサ
４４  定着トナー
【図１】
2006010753.tif 000012
【図２】
2006010753.tif 000013
【図３】
2006010753.tif 000014
【図４】
2006010753.tif 000015
【図５】
2006010753.tif 000016
【図６】
2006010753.tif 000017
【図７】
2006010753.tif 000018
【図８】
2006010753.tif 000019
【図９】
2006010753.tif 000020
【図１０】
2006010753.tif 000021